【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
医療用液体を取扱うときに使用するシステムであって、
針無注射器および注入チュービングラインポートの少なくとも一方の雄型ルアー取付け具に回転自在に相互接続される第１の接続ポートおよび第２の接続ポートを有しているトランスファアダプタと、
血管内カテーテルアクセスポートの雌型ルアー取付け具に回転自在に相互接続される第１の接続ポートと、前記トランスファアダプタの前記第２の接続ポートに適合し、かつ前記トランスファアダプタの第２の接続ポートに相互接続される第２の接続ポートとを有する患者コネクタであって、前記患者コネクタおよび前記トランスファアダプタを通る第１の閉鎖流体通路が、前記患者コネクタの第２の接続ポートおよび前記トランスファアダプタの第２の接続ポートが相互接続されると自動的に画定される、患者コネクタと、
薬物を収容しているバイアルに選択的に相互接続される第１の接続ポートと、前記トランスファアダプタの前記第２の接続ポートに適合し、かつ前記トランスファアダプタの第２の接続ポートに相互接続される第２の接続ポートとを有するバイアルアダプタであって、前記バイアルアダプタおよび前記トランスファアダプタを通る第２の閉鎖流体通路が、前記バイアルアダプタの第２の接続ポートおよび前記トランスファアダプタの第２の接続ポートが相互接続されると自動的に画定される、バイアルアダプタと、
医療用液体を収容している流体リザーバに選択的に相互接続される第１の接続ポートと、前記トランスファアダプタの前記第２の接続ポートに適合し、かつ前記トランスファアダプタの第２の接続ポートに相互接続される第２の接続ポートとを有するリザーバアダプタであって、前記リザーバアダプタおよび前記トランスファアダプタを通る第３の閉鎖流体通路が、前記リザーバアダプタの第２の接続ポートおよび前記トランスファアダプタの第２の接続ポートが相互接続されると自動的に画定され、
前記トランスファアダプタの前記第２の接続ポートは、前記患者コネクタ、前記バイアルアダプタ、および前記リザーバアダプタのそれぞれの前記第２の接続ポートに交互に着脱自在である、
リザーバアダプタとを備えるシステム。
【請求項２】
前記患者コネクタの前記第２の接続ポート、前記バイアルアダプタの前記第２の接続ポート、および前記リザーバアダプタの前記第２の接続ポートは、共通の様式に構成され、それぞれ、清潔な針無注射器の雄型ルアー取付け具に対して着脱自在である請求項１に記
載のシステム。
【請求項３】
前記トランスファアダプタの前記第２の接続ポートは、前記患者コネクタの前記第２の接続ポート、前記バイアルアダプタの前記第２の接続ポート、および前記リザーバアダプタの前記第２の接続ポートに対して回転自在の態様で着脱自在である請求項１に記載のシステム。
【請求項４】
前記トランスファアダプタの前記第２の接続ポートは、内側にネジを切った表面を備え、前記患者コネクタの前記第２の接続ポート、前記バイアルアダプタの前記第２の接続ポート、および前記リザーバアダプタの前記第２の接続ポートはそれぞれ、前記内側にネジを切った表面に対して相補的である、外側にネジを切った表面を備える請求項３に記載のシステム。
【請求項５】
前記トランスファアダプタの前記第２の接続ポートは、外側にネジを切った表面を備え、前記患者コネクタの前記第２の接続ポート、前記バイアルアダプタの前記第２の接続ポート、および前記リザーバアダプタの前記第２の接続ポートはそれぞれ、前記外側にネジを切った表面に対して相補的である、内側にネジを切った表面を備える請求項１に記載のシステム。
【請求項６】
前記患者コネクタの管状部材および前記トランスファアダプタの管状部材は、前記患者コネクタおよび前記トランスファアダプタが相互接続されると、前記第１の閉鎖流体通路の少なくとも一部分を画定するように自動的に連通される請求項１に記載のシステム。
【請求項７】
前記患者コネクタおよび前記トランスファアダプタが相互接続されると、前記第１の閉鎖流体通路は、前記患者コネクタの前記第１の接続ポートから前記トランスファアダプタの前記第１の接続ポートまで延在する請求項６に記載のシステム。
【請求項８】
前記患者コネクタは、前記患者コネクタの前記第２の接続ポートが未接続状態にあるときに前記患者コネクタの前記管状部材の端部を密閉可能に閉囲する少なくとも１つのシール部材を含み、前記トランスファアダプタは、前記トランスファアダプタの前記第２の接続ポートが未接続状態にあるときに前記トランスファアダプタの前記管状部材の端部を密閉可能に閉囲する少なくとも１つのシール部材を含む請求項６に記載のシステム。
【請求項９】
前記トランスファアダプタの前記管状部材および前記シール部材は、前記トランスファアダプタの前記第２の接続ポートが未接続状態にあるときに、前記トランスファアダプタの前記第２の接続ポートに対して埋め込み位置に偏移される請求項８に記載のシステム。
【請求項１０】
前記患者コネクタの前記シール部材は、前記患者コネクタの前記第２の接続ポートを閉鎖するように偏移され、前記患者コネクタの前記シール部材の前面は、前記患者コネクタの前記第２の接続ポートが未接続状態にあるときに、前記患者コネクタの前記第２の接続ポートに実質的に同一平面上に配設される、前記第２の接続ポートを超えて外側に配設される、のいずれかである請求項８に記載のシステム。
【請求項１１】
前記バイアルアダプタの管状部材および前記トランスファアダプタの管状部材は、前記バイアルアダプタおよび前記トランスファアダプタが相互接続されると、前記第２の閉鎖流体通路の少なくとも一部分を画定するように自動的に連通される請求項１に記載のシステム。
【請求項１２】
前記患者コネクタおよび前記トランスファアダプタが相互接続されると、前記第２の閉鎖流体通路は、前記バイアルアダプタの前記第１の接続ポートから前記トランスファアダ
プタの前記第１の接続ポートまで延在する請求項１１に記載のシステム。
【請求項１３】
前記バイアルアダプタは、前記バイアルアダプタの前記第２の接続ポートが未接続状態にあるときに前記バイアルアダプタの前記管状部材の端部を密閉可能に閉囲する少なくとも１つのシール部材を含み、前記トランスファアダプタは、前記トランスファアダプタの前記第２の接続ポートが未接続状態にあるときに前記トランスファアダプタの前記管状部材の端部を密閉可能に閉囲する少なくとも１つのシール部材を含む請求項１１に記載のシステム。
【請求項１４】
前記トランスファアダプタの前記管状部材および前記シール部材は、前記トランスファアダプタの前記第２の接続ポートが未接続状態にあるときに、前記トランスファアダプタの前記第２の接続ポートに対して埋め込み位置に偏移される請求項１３に記載のシステム。
【請求項１５】
前記バイアルアダプタの前記シール部材は、前記バイアルアダプタの前記第２の接続ポートを閉鎖するように偏移され、前記バイアルアダプタの前記シール部材の前面は、前記バイアルアダプタの前記第２の接続ポートが未接続状態にあるときに、前記バイアルアダプタの前記第２の接続ポートに実質的に同一平面上に配設される、前記第２の接続ポートを超えて外側に配設される、のいずれかである請求項１３に記載のシステム。
【請求項１６】
前記リザーバアダプタの管状部材および前記トランスファアダプタの管状部材は、前記リザーバアダプタおよび前記トランスファアダプタが相互接続されると、前記第３の閉鎖流体通路の少なくとも一部分を画定するように自動的に連通される請求項１に記載のシステム。
【請求項１７】
前記患者コネクタおよび前記トランスファアダプタが相互接続されると、前記第３の閉鎖流体通路は、前記リザーバアダプタの前記第１の接続ポートから前記トランスファアダプタの前記第１の接続ポートまで延在する請求項１６に記載のシステム。
【請求項１８】
前記リザーバアダプタは、前記リザーバアダプタの前記第２の接続ポートが未接続状態にあるときに前記リザーバアダプタの前記管状部材の端部を密閉可能に閉囲する少なくとも１つのシール部材を含み、前記トランスファアダプタは、前記トランスファアダプタの前記第２の接続ポートが未接続状態にあるときに前記トランスファアダプタの前記管状部材の端部を密閉可能に閉囲する少なくとも１つのシール部材を含む請求項１６に記載のシステム。
【請求項１９】
前記トランスファアダプタの前記管状部材および前記シール部材は、前記トランスファアダプタの前記第２の接続ポートが未接続状態にあるときに、前記トランスファアダプタの前記第２の接続ポートに対して埋め込み位置に偏移される請求項１３に記載のシステム。
【請求項２０】
前記リザーバアダプタの前記シール部材は、前記リザーバアダプタの前記第２の接続ポートを閉鎖するように偏移され、前記リザーバアダプタの前記シール部材の前面は、前記リザーバアダプタの前記第２の接続ポートが未接続状態にあるときに、前記リザーバアダプタの前記第２の接続ポートに実質的に同一平面上に配設される、前記第２の接続ポートを超えて外側に配設される、のいずれかである請求項１８に記載のシステム。